(57)【要約】【課題】  少なくとも質の高い下絵の作成を可能にした画像印刷装置並びにそれを備えたテレビジョン受信装置及び電子機器を提供する。【解決手段】  インターレースの映像信号をノンインターレースの映像信号に変換し、当該変換された映像信号の静止画像を原画像とし、その原画像の輪郭線を検出して輪郭線画像を生成し、輪郭線画像の映像データを出力する画像処理部２２と、前記画像処理部からの映像データに基づいて印刷データを生成し、プリンタ３３に出力する印刷データ処理部３２とを備える。【選択図】    図１
2006229695.tif 000002
【特許請求の範囲】
【請求項１】
インターレースの映像信号をノンインターレースの映像信号に変換し、前記変換された映像信号の静止画像を原画像とし、当該原画像の輪郭線を抽出して輪郭線画像を生成し、前記輪郭線画像の映像データを出力する画像処理部と、
前記画像処理部からの映像データに基づいて印刷データを生成し、プリンタに出力する印刷データ処理部と
を備えたことを特徴とする画像印刷装置。
【請求項２】
前記画像処理部は、前記原画像を裏面に印刷するための映像データを生成し、前記輪郭線画像の映像データとともに前記印刷データ処理部に出力することを特徴とする請求項１記載の画像印刷装置。
【請求項３】
前記画像処理部は、前記輪郭線画像の映像データを出力することに代えて、前記輪郭線画像の映像データと前記原画像の映像データとを合成し、当該合成された映像データを出力すること特徴とする請求項１記載の画像印刷装置。
【請求項４】
ノンインターレースの映像信号の静止画像を原画像とし、当該原画像の輪郭線を抽出して輪郭線画像の映像データを生成するとともに、前記原画像を裏面に印刷するための映像データを生成し、前記映像データをそれぞれ出力する画像処理部と、
前記画像処理部からの映像データに基づいて印刷データを生成し、プリンタに出力する印刷データ処理部と
を備えたことを特徴とする画像印刷装置。
【請求項５】
ノンインターレースの映像信号に係る静止画像を原画像とし、当該原画像の輪郭線を抽出して輪郭線画像の映像データを生成し、前記輪郭線画像の映像データと前記原画像の画像データとを合成し、当該合成された映像データを出力する画像処理部と、
前記画像処理部からの映像データに基づいて印刷データを生成し、プリンタに出力する印刷データ処理部と
を備えたことを特徴とする画像印刷装置。
【請求項６】
前記画像処理部は、前記輪郭線画像の色が設定されている場合には、前記輪郭線画像の色をその設定されている色に置き換える処理を行って、前記輪郭線画像の映像データとすることを特徴とする請求項１〜５の何れかに記載の画像印刷装置。
【請求項７】
静止画像の輪郭線を検出して当該画像から輪郭線を抜き取る処理をし、その処理がされた画像の映像データを出力する画像処理部と、
前記画像処理部からの映像データに基づいて印刷データを生成し、プリンタに出力する印刷データ処理部と
を備えたことを特徴とする画像印刷装置。
【請求項８】
記憶媒体に記憶された画像ファイル又は外部機器からの映像信号をデコードするデコーダを備え、前記デコーダによりデコードされた映像信号を前記画像処理部に出力することを特徴とする請求項１〜７の何れかに記載の画像印刷装置。
【請求項９】
前記原画像及び／又は印刷対象となっている画像を表示する表示手段を備えたことを特徴とする請求項１〜８の何れかに記載の画像印刷装置。
【請求項１０】
各種の操作信号を入力する操作手段を備え、
前記画像処理部は、前記操作手段により前記輪郭線画像の色が設定されると、前記輪郭線画像の色をその設定されている色に置き換える処理を行って、前記輪郭線画像の映像データとすることを特徴とする請求項９記載の画像印刷装置。
【請求項１１】
前記原画像の映像データ及び前記原画像が処理されて生成された画像の映像データを記憶する記憶手段とを備え、
前記画像処理部は、前記記憶手段から映像データを読み込んで、複数の前記原画像又は前記原画像が処理されて生成された画像を前記表示手段に表示させ、前記操作手段からの操作信号に基づいて前記画像を選択し、前記原画像が選択されると当該原画像が処理されて生成された画像を印刷するための映像データを出力し、前記原画像が処理されて生成された画像が選択されると当該画像の映像データを出力することを特徴とする請求項９又は１０記載の画像印刷装置。
【請求項１２】
前記印刷データ処理部からの印刷データに基づいて印刷処理をするプリンタを備えたことを特徴とする請求項１〜１１の何れかに記載の画像印刷装置。
【請求項１３】
請求項１〜１２の何れかに記載の画像処理印刷装置を搭載したことを特徴とするテレビジョン受信装置。
【請求項１４】
請求項１〜１２の何れかに記載の画像処理印刷装置を搭載したことを特徴とする電子機器。
【発明の詳細な説明】
【技術分野】
【０００１】
本発明は、画像印刷装置、テレビジョン受信装置及び電子機器に関し、特に、塗り絵の下絵の作成に関する。
【背景技術】
【０００２】
従来からアニメーション画像から塗り絵の下絵を作成する方法が提案されており、例えば「…家庭用のビデオデッキ装置から画像を輪郭画像出力装置に入力して、その１画面（例えば、サンタクロースの絵）を記録し、記録した１画面の画像の輪郭を抽出する。そして、印刷スイッチを押すことにより、抽出した１画面の画像（サンタクロース）の輪郭を紙に印刷して出力する。なお、テレビ装置にぬり絵の対象となる画像を写し出し、その画像を見ながら作業を行う。これにより、簡単にオリジナルなぬり絵の原画を印刷により作成する。」という方法のものが提案されている（例えば特許文献１）。
【特許文献１】特開平０６−３０１７７９号公報
【発明の開示】
【発明が解決しようとする課題】
【０００３】
しかしながら、上記の特許文献１において提案されている塗り絵作成装置は次のような問題点がある。
・ビデオデッキで再生した画像からしか、塗り絵の下絵を作成できない。
・テレビジョン・ビデオの画像はインターレースであるが、この塗り絵作成装置では片フィールドのみからの画像キャプチャとなり、質の高い下絵が作成できない。
・見本とすべきオリジナルのキャプチャ画像は、ディスプレイに表示されるのみである。印刷された塗り絵の下絵と、ディスプレイ画像のサイズが異なるため、ユーザーが受ける印象が異なってしまう。
・１枚の紙に１枚の下絵しか印刷できない。
【０００４】
本発明は、上記の問題点を解決するためになされたものであり、少なくとも質の高い下絵の作成を可能にした画像印刷装置並びにそれを備えたテレビジョン受信装置及び電子機器を提供することを目的とする。
【課題を解決するための手段】
【０００５】
本発明に係る画像印刷装置は、インターレースの映像信号をノンインターレースの映像信号に変換し、当該変換された映像信号の静止画像を原画像とし、その原画像の輪郭線を検出して輪郭線画像を生成し、輪郭線画像の映像データを出力する画像処理部と、前記画像処理部からの映像データに基づいて印刷データを生成し、プリンタに出力する印刷データ処理部とを備えたものである。本発明においては、映像信号がインターレースの場合にはそれをノンインターレースの映像信号に変換し、その変換された映像信号の画像の輪郭線を検出して輪郭線画像、即ち塗り絵の下絵の映像データを生成するようにしたので、印刷した場合には高品質の下絵が得られる。
【０００６】
また、本発明に係る画像印刷装置において、前記画像処理部は、前記原画像を裏面に印刷するための映像データを生成し、前記輪郭線画像の映像データとともに前記印刷データ処理部を出力するものである。本発明においては、表面に印刷する前記輪郭線画像の映像データと、裏面に印刷する前記原画像の映像データとを出力して印刷させるようにしているので、原画像と輪郭線画像とが裏表で重なるように印刷させることで、透かし画の要領で簡単に綺麗な塗り絵遊びができる。
【０００７】
また、本発明に係る画像印刷装置において、前記画像処理部は、前記輪郭線画像の映像データを出力することに代えて、前記輪郭線画像の映像データと前記原画像の映像データとを合成し、当該合成された映像データを出力する。本発明においては、輪郭線画像の映像データと原画像の映像データとを合成することにより、原画像の輪郭線が強調された画像が生成されることになり、原画像を見本として塗り絵遊びができる。
【０００８】
また、本発明に係る画像印刷装置は、ノンインターレースの映像信号の静止画像を原画像とし、当該原画像の輪郭線を抽出して輪郭線画像の映像データを生成するとともに、前記原画像を裏面に印刷するための映像データを生成し、前記映像データをそれぞれ出力する画像処理部と、前記画像処理部からの映像データに基づいて印刷データを生成し、プリンタに出力する印刷データ処理部とを備えたものである。本発明においては、上述の例と同様に、透かし画の要領で簡単に綺麗な塗り絵遊びができる。
【０００９】
また、本発明に係る画像印刷装置は、ノンインターレースの映像信号の静止画像を原画像とし、当該原画像の輪郭線を抽出して輪郭線画像の映像データを生成し、前記輪郭線画像の映像データと前記原画像の画像データとを合成し、当該合成された映像データを出力する画像処理部と、前記画像処理部からの映像データに基づいて印刷データを生成し、プリンタに出力する印刷データ処理部とを備えたものである。本発明においては、上述の例と同様に、原画像の輪郭線が強調された画像が生成されることになり、原画像を見本として塗り絵遊びができる。
【００１０】
また、本発明に係る画像印刷装置において、前記画像処理部は、前記輪郭線画像の色が設定されている場合には、前記輪郭線画像の色をその設定されている色に置き換える処理を行って、前記輪郭線画像の映像データとする。本発明においては、前記輪郭線画像の色を任意に設定することにより、所望の色からなる塗り絵の下絵（輪郭線画像）ができる。
この場合に、輪郭線を薄い色で描画することにより、ユーザーが薄い輪郭線をペンなどでなぞる作業ができるようになり、ユーザー自体が下絵を作っていく楽しみも提供できる。
【００１１】
また、本発明に係る画像印刷装置は、静止画像の輪郭線を抽出して当該画像から輪郭線を抜き取る処理をし、その処理がされた画像の映像データを出力する画像処理部と、前記画像処理部からの映像データに基づいて印刷データを生成し、プリンタに出力する印刷データ処理部とを備えたものである。本発明においては、輪郭線を除いた画像を生成するようにしており、そのような画像を印刷することにより、例えばユーザーが輪郭線をペンなどで描いて１枚の画像を完成させるという遊びが可能になっている。
【００１２】
また、本発明に係る画像印刷装置は、記憶媒体に記憶された画像ファイル又は外部機器からの映像信号をデコードするデコーダを備え、前記デコーダによりデコードされた映像信号を前記画像処理部に出力する。本発明においては、記憶媒体に記憶された画像ファイル又は外部機器からの映像信号を対象として上記の処理をすることができるので、幅広く任意の画像に対する画像を塗り絵の下絵とすることができる。
【００１３】
また、本発明に係る画像印刷装置は、前記の印刷対象となっている画像を表示する表示手段を備えたものである。本発明においては、原画像、輪郭線画像等を表示手段による表示によって確認することができる。
【００１４】
また、本発明に係る画像印刷装置は、各種の操作信号を入力する操作手段を備え、前記画像処理部は、前記操作手段により前記輪郭線画像の色が設定されると、前記輪郭線画像の色をその設定されている色に置き換える処理を行って、前記輪郭線画像の映像データとする。本発明においては、輪郭線画像の色を操作手段により任意に変更することができる。
【００１５】
また、本発明に係る画像印刷装置は、前記原画像の映像データ及び前記原画像が処理されて生成された画像の映像データを記憶する記憶手段とを備え、前記画像処理部は、前記記憶手段から映像データを読み込んで、複数の前記原画像又は前記原画像が処理されて生成された画像を前記表示手段に表示させ、前記操作手段からの操作信号に基づいて前記画像を選択し、前記原画像が選択されると当該原画像が処理されて生成された画像を印刷するための映像データを出力し、前記原画像が処理されて生成された画像が選択されると当該画像の映像データを出力する。本発明においては、原画像が処理されて生成された複数の画像即ち複数の輪郭線画像等を１枚の紙に印刷することができるので、１枚の紙でいろいろな場面の塗り絵遊びができる。
【００１６】
また、本発明に係る画像印刷装置は、前記印刷データ処理部からの印刷データに基づいて印刷処理をするプリンタを備えたものであり、上述の輪郭線画像、原画像等が印刷される。
【００１７】
また、本発明に係るテレビジョン受信装置は、上記の画像処理印刷装置を搭載したものであり、テレビ画像を含めて各種の画像に対する塗り絵の下絵が得られる。
また、本発明に係る電子機器は、上記の画像処理印刷装置を搭載したものである。
【発明を実施するための最良の形態】
【００１８】
実施形態１．
図１は本発明の実施形態１に係るテレビ受信装置の構成を示すブロック図である。このテレビ受信装置１は、アンテナ１０、ＴＶ放送受信部１１、コンポジット・ビデオ信号端子１２、Ｓ端子１３、Ｄ端子１４、アナログＹＵＶ信号端子１５、Ａ／Ｖスイッチ１６、ビデオデコーダ１７、メモリカードスロット１８、メモリカードコントローラ１９、デコーダ（ＪＰＥＧデコーダ／ＭＰＥＧデコーダ）２０、ハードディスク２１及び画像処理部２２を備えている。また、テレビ受信装置１は、情報入力部２３、電源部２４、制御部２５、ＬＣＤドライバ２６、ＬＣＤパネル２７Ｒ，２７Ｇ，２７Ｂ、ランプ２８、合成プリズム２９、投射レンズ３０及びスクリーン３１、プリンタ処理部３２及びプリンタ３３を備えており、リアプロジェクションテレビを構成している。なお、ＬＣＤパネル２７Ｒ，２７Ｇ，２７Ｂ、ランプ２８、合成プリズム２９、投射レンズ３０及びスクリーン３１を総称するとき、表示装置３４と称するものとする。また、制御部２５は各種の制御データ（印刷処理、輪郭線の色）が格納されるレジスタ２５ａを内蔵し、装置全体を制御するものであり、特に、本実施形態においては情報入力部２３からの入力を取り込んで画像処理部２２に制御信号を出力する等の処理を行う。なお、本発明の理解を容易にするために、図１では音声機能を処理するブロックの図示を省略している。
【００１９】
このテレビ受信装置１のＴＶ放送受信部１１は、アナログ放送用又はデジタル放送用の何れでもよいが、仮にデジタル放送用であるとすると、チューナー、デマルチプレクサ、及び映像信号処理回路を備えており（何れも図示を省略）、制御部２５がチューナーに選局信号を出力することによりチューナーでその選局信号に対応したチャンネルが設定される。アンテナ１０は、周波数変換器を備えており、例えばＣＳ（Ｃｏｍｍｕｎｉｃａｔｉｏｎ  Ｓａｔｅｌｌｉｔｅ）から送られてくるデジタル放送信号を受信して、周波数変換した信号をチューナーに出力する。チューナーは、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。デマルチプレクサ（ＤＥＭＵＸ）は、前記トランスポート・ストリームを、例えばＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、及びＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離し、ビデオストリームを映像信号処理回路に出力する。映像信号処理回路はビデオデコーダ等を内蔵しており、入力された可変長符号を復号して量子化係数や動きベクトルを求め、逆ＤＣＴ変換や動きベクトルに基づく動き補償制御等を行って、上記のチューナーの選局信号に対応したチャンネルの映像信号（デジタル形式のＲＧＢまたはＹＵＶの映像信号）を画像処理部２２に出力する。
【００２０】
また、コンポジット・ビデオ信号端子１２、Ｓ端子１３、Ｄ端子１４及びアナログＹＵＶ信号端子１５のいずれかの端子からその端子に対応した映像信号が入力すると、その映像信号はＡ／Ｖスイッチ１６を介してビデオデコーダ１７によりデコードされ、デコードされた映像信号（デジタル形式のＲＧＢの映像信号／ＹＵＶの映像信号）を画像処理部２２に出力する。
【００２１】
また、メモリカードスロット１８にメモリカード（図示せず）が挿入されると、メモリカードコントローラ１９はそのメモリカードに格納された映像信号を読み込んでデコーダ（ＪＰＥＧデコーダ／ＭＰＥＧデコーダ）２０に出力し、デコーダ２０はその映像信号をデコードして画像処理部２２に出力する（デジタル形式のＲＧＢの映像信号／ＹＵＶの映像信号）。
【００２２】
画像処理部２２は、ＴＶ放送受信部１１、ビデオデコーダ１７又はデコーダ２０から映像信号を取り込むと、後段の液晶パネル２７Ｒ，２７Ｇ，２７Ｂの解像度に応じてリサイズし、例えばフレームメモリ２２ａにフレーム画像を展開し、フレーム画像をＬＣＤドライバ−２６に出力する。ＬＣＤドライバ−２６はそのフレーム画像の映像信号をＤ／Ａ変換して後段の液晶パネル２７Ｒ，２７Ｇ，２７Ｂを駆動し、各液晶パネル２７Ｒ，２７Ｇ，２７Ｂに画像を描画し、その描画された画像によって変調されたランプ２８の光を合成プリズム２９により合成して、投射レンズ３０によりスクリーン３１に投射させる。このようにして、ＴＶ放送受信部１１、ビデオデコーダ１７又はデコーダ２０から映像信号がスクリーン３１に映し出される。
【００２３】
また、画像処理部２２は印刷の指令を受けると、プリンタ処理部３２に映像データ（デジタルＲＧＢデータ）を出力し、プリンタ処理部３２は映像データ（デジタルＲＧＢデータ）をＣＭＹＫデータ（ラスターデータ）に変換して、その変換された映像データをプリンタ３３に出力し、プリンタ３３はその変換された映像データに基づいて印刷処理をする。
【００２４】
図２は情報入力部２３の一部を構成するリモートコントローラ４０の正面図である。リモートコントローラ４０には各種のキーが取り付けられており、図示のように、例えば数値キー４１、チャンネル増・減キー４２，４３、ボリューム増・減キー４４，４５、方向キー４６、エンターキー４７、登録キー４８、塗り絵キー４９、保存キー５０、編集キー５１等の各種のキーが設けられている。登録（キャプチャ）キー４８は、表示装置３４に表示されている画像から静止画像（キャプチャ画像）を生成するための操作信号を出力するためのキーである。塗り絵キー４９は、静止画像を原画像として輪郭線画像（塗り絵の下絵）を生成する操作信号を出力するためのキーである。保存キー５０は、原画像及び輪郭線画像の映像データをハードディスク２１に格納させるための操作信号を出力するキーである。また、編集キー５１はハードディスク２１に格納された映像データを読み出して原画像及び／又は輪郭線画像を表示装置３４に表示させるための操作信号を出力するキーである。これらの操作キー４１〜５１は、その操作信号が制御部２５に取り込まれてその操作信号に対応した各種の処理がなされることになる。
【００２５】
図３及び図４は画像処理部２２及びプリンタ処理部３２の処理を示すフローチャートであり、この処理は所定の時間間隔で繰り返される。図１のテレビジョン受信装置において、画像処理部２２が、例えばＴＶ放送受信部からの映像信号を取り込んで上述の信号処理を施してＬＣＤドライバ２６に出力し、ＬＣＤドライバ２６により液晶パネル２７Ｒ，２７Ｇ，２７Ｂに画像を描画し、その画像をスクリーン３１に投射している状態にあるものとする。この状態において、画像処理部２２は、登録キー４８が押されたかどうかを、制御部２５を介して供給される登録キー４８からの操作信号に基づいて判断する（Ｓ１１）。画像処理部２２は登録キー４８が押されたと判断した場合には、次に、現在表示されている画像の映像信号がインターレースの映像信号であるかどうかを判断し（Ｓ１２）、インターレースの映像信号であった場合には現在表示されている画像の映像信号をＩＰ変換処理をし（Ｓ１３）、そのＩＰ変換処理された映像信号に基づいて静止画像を生成し、それを原画像とする（Ｓ１４）。つまり、インターレースの映像信号であった場合には奇フィールドの映像信号を偶フィールドの映像信号とをそれぞれ画像キャプチャして合成してノンインターレース（プログレッシブ）の映像信号を生成し、そのノンインターレースの映像信号に係る画像を原画像とする。
【００２６】
次に、画像処理部２２は、塗り絵キー４９が押されたかどうかを、制御部２５を介して供給される塗り絵キー４９からの操作信号に基づいて判断する（Ｓ１５）。画像処理部２２は、塗り絵キー４９が押されたという判断をした場合には、上記の原画像の輪郭線を抽出する処理を行う（Ｓ１６）。この輪郭線を抽出する処理としては、例えば８方向ラプラシアンフィルタ等のフィルタを用いてエッジ検出の処理等を行って静止画像のエッジを検出することにより行われる。
【００２７】
画像処理部２２は、保存キー５０が押されたかどうかを、制御部２５を介して供給される保存キー５０の操作信号に基づいて判断する（Ｓ１７）。画像処理部２２は、保存キー５０が押されたという判断をした場合には保存処理をする（Ｓ１８）。例えばハードディスク２１にＪＰＥＧ等のファイル形式で、原画像とそれに対応する輪郭線画像の映像データを保存する。次に、画像処理部２２は、制御部２５のレジスタ２５ａを参照して印刷指示が設定されているどうかを判断し（Ｓ１９）、印刷指示が設定されている場合には、制御部２５のレジスタ２５ａを参照して上記の輪郭線の色が設定されているかどうかを判断し（Ｓ２０）、色が設定されている場合には、設定されている色に基づいて輪郭線の色を変更する色決め処理をする（Ｓ２１）。そして、画像処理部２２は、制御部２５のレジスタ２５ａを参照して原画像を印刷処理するかどうかを判断し（Ｓ２２）、この例では印刷用紙の裏面に原画像を印刷するものとして、裏面の原画像が表面の輪郭線画像と一致するように左右を反転し、原画像の位置決め処理をし、上記の輪郭線画像及び原画像の映像データ（デジタルＲＧＢデータ）をプリンタ処理部３２に送信する（Ｓ２３）。なお、上記の処理過程において、画像処理部２２は上記の輪郭線画像及び原画像の映像データをフレームメモリ２２ａに展開し、ＬＣＤドラバ２６に出力して、輪郭線画像及び原画像を表示装置３４に表示させる。なお、画像を表示する際に、輪郭線画像及び原画像を同時に表示させずに、何れか一方だけを表示装置３４に表示させて、他方の映像データをメモリ２２ｂに格納しておき、一方の画像をリモートコントローラ４０の適当なキーを操作することにより他方の画像を表示装置３４に表示させるようにしてもよい。
【００２８】
プリンタ処理部３２は、受信した映像データ（デジタルＲＧＢデータ）をＹＭＣＫデータに変換して、プリント開始位置、紙送り量情報等のデータを含めたプリンタ３３で印刷できるようにするためのラスターデータを作成し（Ｓ２４）、ラスターデータをプリンタ３３に送信する（Ｓ２５）。プリンタ３３はその与えられたデータに基づいて印刷処理をする。この例は、表面に輪郭線画像（塗り絵の下絵）、裏面に原画像が印刷されることになる。
【００２９】
図５はプリンタ３３により印刷された表面側の輪郭線画像（塗り絵の下絵）であり、その裏面には原画像が印刷されることになる（図示せず）。
【００３０】
なお、上記の説明においては、ＴＶ放送受信部１１からの映像信号から輪郭線画像を生成する例について説明したが、コンポジット・ビデオ信号端子１２、Ｓ端子１３、Ｄ端子１４又はアナログＹＵＶ信号端子１５に外部機器を接続して映像信号を取り込んだり、或いは、メモリカードスロット１８にメモリカード（図示せず）を挿入して、メモリカードに記憶されている画像ファイルを取り込んでも、同様に、輪郭線画像及び原画像を生成して印刷することができる。その場合において、画像ファイルは動画又は静止画の何れでもよい。
【００３１】
また、本実施形態においては、図２の保存キー５０が押される度に、原画像の映像データ及び輪郭線画像の映像データがハードディスク２１に格納される。そこで、例えばユーザーが編集キー５１を押すと、画像処理部２２は、ハードディスク２１に格納されている原画像の映像データを読み出して表示装置３４に表示させ、リモートコントローラ４０のシフトキー４６、エンターキー４７が操作されて原画像が選択されると、その選択された原画像に対応した輪郭線画像の映像データを読み込んで、プリンタ処理部３２に出力してプリンタ３３により印刷することができる。或いは、ハードディスク２１の輪郭線画像の映像データを読み出して表示装置３４に表示させ、リモートコントローラ４０の方向キー４６、エンターキー４７が操作されて輪郭線画像が選択されると、その選択された輪郭線画像の映像データをプリンタ処理部３２に出力してプリンタ３３により印刷することもできる。
【００３２】
以上のように本実施形態１においては、例えば好きなアニメーション番組（テレビ放送、ＤＶＤ、ビデオ等のコンテンツ）の視聴中に好きな場面について、簡単に塗り絵の下絵を作ることができる。また、インターレースの映像信号の場合には、奇フィールドと偶フィールドの両方をキャプチャして合成しノンインターレースの映像信号を生成してそのノンインターレースの映像信号の画像を原画像として輪郭線の検出処理を行うので、より綺麗な塗り絵の下絵を作成することができる。また、裏面に原画像と位置を合わせて原画像を印刷し、透かして見たときに、輪郭線画像（下絵）と原画像とが重なるように印刷できるので、透かし画の要領で簡単に綺麗な塗り絵遊びができる。
【００３３】
また、リモートコントローラ４０の登録キー４８等を押す毎に図３及び図４の処理がなされるので、複数の原画像及び輪郭線画像をハードディスク２１に格納することができる。このため、上述のように、複数の原画像及び輪郭線画像を１枚に纏めて印刷することができ、１枚の紙でいろいろな場面の塗り絵遊びができる。また、輪郭線だけで印刷をするとき、例えばデフォルト設定では黒色の輪郭線を構成するが、設定を変更することにより例えば薄い色で輪郭線を構成することもできる。そのような場合には、ユーザーが薄色の輪郭線をペンでなぞる作業ができるようになり、塗り絵のみならず、下絵を作っていく楽しみも提供できる。 
【００３４】
実施形態２．
なお、図３及び図４のフローチャートにおいては、登録キー４８、塗り絵キー４９及び保存キー５０の操作を前提とした動作について説明したが、塗り絵キー４９が押されることで、図３及び図４のフローチャートの処理が開始して、図３のフローチャートの処理（Ｓ１２〜Ｓ１４、Ｓ１６、Ｓ１８、Ｓ１９）が全てなされるようにしてもよい。
【００３５】
また、上記の実施形態１においては、原画像の輪郭線を抽出して輪郭線画像を印刷する例について説明したが、輪郭線画像の映像データと原画像の映像データとを合成して輪郭線が強調した画像を生成して印刷するようにしてもよい。そのようにすることで、原画像を見本として塗り絵遊びができる。また、別の紙に原画像を印刷するときには、その印刷位置を輪郭線画像の印刷位置と合わせるようにし、印刷された２枚の紙を重ねたときに画像の位置が一致するようにする。
【００３６】
また、原画像から抽出した輪郭線を原画像から抜き取る処理をすることにより、「色はついているが輪郭線のない画像を生成して印刷することもできる。この場合には、ユーザーが輪郭線をペンで描き、１枚の画を完成させるという作業が可能になっており、通常の塗り絵とは違った遊び方を提供することができる。また、輪郭線画像の輪郭線の色は、リモートコントローラ４０の適当なキーを操作することにより、画像処理部２２により任意の色に変更することもできる。
【００３７】
また、上記の実施形態１においてはプリンタ３３を内蔵した例について説明したが、プリンタ３３を外付けし、例えばＵＳＢケーブル等により接続するようにしてもよい。また、テレビジョン受信装置に塗り絵の下絵の画像の映像データを生成する機能を持たせた例について説明したが、例えば図１のコンポジット・ビデオ信号端子１２、Ｓ端子１３、Ｄ端子１４、アナログＹＵＶ信号端子１５、Ａ／Ｖスイッチ１６、ビデオデコーダ１７、メモリカードスロット１８、メモリカードコントローラ１９、デコーダ（ＪＰＥＧデコーダ／ＭＰＥＧデコーダ）２０、画像処理部２２、情報入力部２１、制御部２５及びプリンタ処理部３２を備えて画像印刷装置を構成し（図１の１点鎖線の領域参照）、上記の端子１２〜１５又はメモリカードスロット１８に、外部から映像信号を入力して画像処理し、上記の原画像、輪郭線画像（塗り絵の下絵）等を生成し、外付けした例えばテレビ受信装置に画像を表示させるとともに、外付けしたプリンタに輪郭線画像（塗り絵の下絵）及び／又は原画像を印刷させるようにしてもよい。また、上記の画像印刷装置を内蔵した所謂ビデオプリンタを構成してもよい。また、上記の実施形態１においては、画像印刷装置を内蔵したテレビ受信装置の例について説明したが、パソコン等の電子機器に上記の画像印刷装置を内蔵させる構成を採用してもよい。
【図面の簡単な説明】
【００３８】
【図１】本発明の実施形態１に係るテレビ受信装置の構成を示すブロック図。
【図２】リモートコントローラの正面図。
【図３】画像処理部の処理を示すフローチャート。
【図４】画像処理部及び印刷データ処理部の処理を示すフローチャート。
【図５】輪郭線画像（塗り絵の下絵）の例を示した図。
【符号の説明】
【００３９】
１ テレビ受信装置、１０ アンテナ、１１ テレビ放送受信部、２１ ハードディスク、２２ 画像処理部、２２ａ フレームメモリ、３２ プリンタ処理部、３３ プリンタ、３４ 表示装置、４０ リモートコントローラ。
【図１】
2006229695.tif 000003
【図２】
2006229695.tif 000004
【図３】
2006229695.tif 000005
【図４】
2006229695.tif 000006
【図５】
2006229695.tif 000007